(57)【要約】【課題】紙幣の仕分けを適切に制御し得る紙幣処理システムを提供する。【解決手段】所定の規則に従う紙幣の仕分け処理を行う紙幣処理システムであって、紙幣束に対して第１の仕分けを行う第１の紙幣処理装置と、第１の紙幣処理装置による第１の仕分けの結果に基づいて、第１の仕分けが行われた紙幣束に対して第２の仕分けを行う第１の紙幣処理装置とは異なる第２の紙幣処理装置と、を備えることを特徴とする。【選択図】図１
2019079140.tif 000002
【特許請求の範囲】
【請求項１】
所定の規則に従う紙幣の仕分け処理を行う紙幣処理システムであって、
紙幣束に対して第１の仕分けを行う第１の紙幣処理装置と、
前記第１の紙幣処理装置による第１の仕分けの結果に基づいて、前記第１の仕分けが行われた紙幣束に対して第２の仕分けを行う前記第１の紙幣処理装置とは異なる第２の紙幣処理装置と、
を備えることを特徴とする紙幣処理システム。
【請求項２】
請求項１に記載の紙幣処理システムであって、
前記第２の紙幣処理装置で行われる第２の仕分けは、紙幣の金種、紙幣の正損、紙幣の方向、および紙幣の新旧の仕分けのうちの１または複数の組み合わせである
ことを特徴とする紙幣処理システム。
【請求項３】
請求項１または２に記載の紙幣処理システムであって、
前記第１の紙幣処理装置は、紙幣の金種、紙幣の正損、紙幣の方向、および紙幣の新旧の仕分けのうちの１または複数の組み合わせを第１の仕分けとして行い、
前記第２の紙幣処理装置は、前記第１の紙幣処理装置で行われていない仕分けのうち１または複数の仕分けを第２の仕分けとして行う
ことを特徴とする紙幣処理システム。
【請求項４】
請求項１から３の何れか１項に記載の紙幣処理システムであって、
前記第１の紙幣処理装置は、前記第１の紙幣処理装置が行った第１の仕分けの結果に関する仕分け情報を出力する
ことを特徴とする紙幣処理システム。
【請求項５】
請求項４に記載の紙幣処理システムであって、
前記第２の紙幣処理装置は、前記第１の紙幣処理装置で出力された仕分け情報を受け入れ、前記仕分け情報に基づいて第２の仕分けを行う
ことを特徴とする紙幣処理システム。
【請求項６】
請求項５に記載の紙幣処理システムであって、
前記第１の紙幣処理装置には、前記第１の紙幣処理装置が行った第１の仕分けの結果に関する仕分け情報を媒体に印刷する印刷装置が接続され、
前記第２の紙幣処理装置には、前記印刷装置により媒体に印刷された仕分け情報を読み取る読取機が接続されている
ことを特徴とする紙幣処理システム。
【請求項７】
請求項５に記載の紙幣処理システムであって、
前記第１の紙幣処理装置は、前記第２の紙幣処理装置と通信可能な第１の通信部を有し、
前記第２の紙幣処理装置は、前記第１の紙幣処理装置と通信可能な第２の通信部を有し、
前記第１の紙幣処理装置は、前記第１の紙幣処理装置が行った第１の仕分けの結果に関する仕分け情報を前記第１の通信部を介して前記第２の紙幣処理装置に送信し、
前記第２の紙幣処理装置は、前記第１の紙幣処理装置が行った第１の仕分けの結果に関する仕分け情報を前記第２の通信部を介して受信する
ことを特徴とする紙幣処理システム。
【請求項８】
請求項３から７の何れか１項に記載の紙幣処理システムであって、
前記第１の紙幣処理装置は、紙幣を受け入れる入金口と、紙幣を返却する出金返却口と、紙幣を識別する識別部と、紙幣を収納可能な複数の紙幣カセットと、前記入金口、前記出金返却口、前記識別部、および前記複数の紙幣カセットに係る制御を行う主制御部と、を有し、
前記複数の紙幣カセットの各々は、紙幣の金種に対応して設けられ、
前記識別部は、前記入金口から受け入れた紙幣の金種と、前記紙幣の方向が予め定めた方向と一致するか否かとを識別し、
前記主制御部は、前記識別部により紙幣の方向が一致すると識別された場合、前記紙幣の金種に対応する紙幣カセットに前記紙幣を収納し、前記紙幣の方向が一致しないと識別された場合、前記出金返却口に前記紙幣を返却するように制御を行う
ことを特徴とする紙幣処理システム。
【請求項９】
請求項８に記載の紙幣処理システムであって、
前記複数の紙幣カセットの各々は、紙幣を収納可能な複数の収納部を有し、
前記識別部は、前記紙幣の方向が予め定めた第１の方向または第２の方向と一致するか否かを識別し、
前記主制御部は、前記識別部により紙幣の方向が前記第１の方向であると識別された場合、前記紙幣の金種に対応する紙幣カセットの第１の収納部に前記紙幣を収納し、前記紙幣の方向が前記第２の方向であると識別された場合、前記紙幣カセットの第２の収納部に前記紙幣を収納するように制御を行う
ことを特徴とする紙幣処理システム。
【請求項１０】
請求項３から７の何れか１項に記載の紙幣処理システムであって、
前記第１の紙幣処理装置は、紙幣を受け入れる入金口と、紙幣を返却する出金返却口と、紙幣を識別する識別部と、紙幣を収納可能な複数の紙幣カセットと、前記入金口、前記出金返却口、前記識別部、および前記複数の紙幣カセットに係る制御を行う主制御部と、を有し、
前記識別部は、前記入金口から受け入れた紙幣が正券紙幣であるか損券紙幣であるかを識別し、
前記主制御部は、前記識別部により正券紙幣であると識別された紙幣と損券紙幣であると識別された紙幣とを、それぞれ異なる紙幣カセットに収納するように制御を行う
ことを特徴とする紙幣処理システム。
【請求項１１】
請求項１０に記載の紙幣処理システムであって、
前記複数の紙幣カセットの各々は、紙幣の金種に対応して設けられ、
前記複数の紙幣カセットの各々は、紙幣を収納可能な複数の収納部を有し、
前記識別部は、前記入金口から受け入れた紙幣の金種を識別し、
前記主制御部は、前記識別部により識別された紙幣が正券紙幣である場合、前記紙幣の金種に対応する紙幣カセットの第１の収納部に前記紙幣を収納し、前記紙幣が損券紙幣であると識別された場合、前記紙幣カセットの第２の収納部に前記紙幣を収納するように制御を行う
ことを特徴とする紙幣処理システム。
【請求項１２】
請求項３から７の何れか１項に記載の紙幣処理システムであって、
前記第１の紙幣処理装置は、紙幣を受け入れる入金口と、紙幣を返却する出金返却口と、紙幣を識別する識別部と、紙幣を収納可能な複数の紙幣カセットと、前記入金口、前記出金返却口、前記識別部、および前記複数の紙幣カセットに係る制御を行う主制御部と、を有し、
前記識別部は、前記入金口から受け入れた紙幣が同一価値の新券紙幣であるか旧券紙幣であるかを識別し、
前記主制御部は、前記識別部により新券紙幣であると識別された紙幣と旧券紙幣であると識別された紙幣とを、それぞれ異なる紙幣カセットに収納するように制御を行う
ことを特徴とする紙幣処理システム。
【請求項１３】
請求項１２に記載の紙幣処理システムであって、
前記複数の紙幣カセットの各々は、紙幣の金種に対応して設けられ、
前記複数の紙幣カセットの各々は、紙幣を収納可能な複数の収納部を有し、
前記識別部は、前記入金口から受け入れた紙幣の金種を識別し、
前記主制御部は、前記識別部により識別された紙幣が新券紙幣である場合、前記紙幣の金種に対応する紙幣カセットの第１の収納部に前記紙幣を収納し、前記紙幣が旧券紙幣であると識別された場合、前記紙幣カセットの第２の収納部に前記紙幣を収納するように制御を行う
ことを特徴とする紙幣処理システム。
【請求項１４】
請求項１から１３の何れか１項に記載の紙幣処理システムであって、
前記第１の紙幣処理装置は、金融機関に設けられる窓口入出金機であり、
前記第２の紙幣処理装置は、前記窓口入出金機からの紙幣を回収して管理する現金センタに設けられる紙幣仕分け装置である
ことを特徴とする紙幣処理システム。
【請求項１５】
請求項１から１４の何れか１項に記載の紙幣処理システムであって、
前記第２の紙幣処理装置には、前記第２の紙幣処理装置が行う予定の第２の仕分けの処理内容を表示する表示部が接続されている
ことを特徴とする紙幣処理システム。
【請求項１６】
請求項１から１５の何れか１項に記載の紙幣処理システムであって、
前記第２の紙幣処理装置には、前記第２の紙幣処理装置が行う予定の第２の仕分けの処理内容を実施するか否かを入力可能な入力部が接続されている
ことを特徴とする紙幣処理システム。
【請求項１７】
請求項１から１４の何れか１項に記載の紙幣処理システムであって、
前記第２の紙幣処理装置には、前記第２の紙幣処理装置が行う予定の第２の仕分けの処理内容を処理順に表示し、前記処理順を変更若しくは削除する入力、および／または、処理内容の追加若しくは処理内容の選択をする入力を行うための表示入力部が接続されている
ことを特徴とする紙幣処理システム。
【請求項１８】
請求項１に記載の紙幣処理システムであって、
前記第２の紙幣処理装置を複数備え、
前記複数の第２の紙幣処理装置の中から選択された一の第２の紙幣処理装置が前記第１の紙幣処理装置による第１の仕分けの結果に基づいて、前記第１の仕分けが行われた紙幣束に対して第２の仕分けを行う
ことを特徴とする紙幣処理システム。
【請求項１９】
請求項１８に記載の紙幣処理システムであって、
前記第１の紙幣処理装置で行われた第１の仕分けの結果に基づいて、前記複数の第２の紙幣処理装置の中から一の第２の紙幣処理装置を選択する制御装置を備える
ことを特徴とする紙幣処理システム。
【請求項２０】
請求項１９に記載の紙幣処理システムであって、
前記第１の紙幣処理装置で第１の仕分けが行われた紙幣束ごとに、前記第１の仕分けの結果に関する仕分け情報を前記第１の紙幣処理装置から受信する紙幣情報管理サーバを備え、
前記制御装置は、前記複数の第２の紙幣処理装置の各々についての状態情報と前記紙幣情報管理サーバから受信した前記紙幣束ごとの仕分け情報とに基づいて、前記複数の第２の紙幣処理装置の中から一の第２の紙幣処理装置を選択する
ことを特徴とする紙幣処理システム。
【請求項２１】
請求項２０に記載の紙幣処理システムであって、
前記複数の第２の紙幣処理装置の各々についての状態情報には、前記複数の第２の紙幣処理装置の各々における処理待ちの件数、処理待ちの紙幣の枚数、前記複数の第２の紙幣処理装置の各々のスペック情報の少なくとも１つ、またはこれらの組み合わせの情報が含まれる
ことを特徴とする紙幣処理システム。
【請求項２２】
請求項１９に記載の紙幣処理システムであって、
前記第１の紙幣処理装置で第１の仕分けが行われた紙幣束ごとに、前記第１の仕分けの結果に関する仕分け情報と関連付けられたシリアル番号が付与され、
前記制御装置は、シリアル番号を読取可能な読取機と、前記読取機で読み取られたシリアル番号の紙幣束を仕分けするのに適した前記複数の第２の紙幣処理装置の中から選択した一の第２の紙幣処理装置を示す情報を表示する表示部と、を有する
ことを特徴とする紙幣処理システム。
【請求項２３】
請求項２２に記載の紙幣処理システムであって、
前記制御装置は、前記複数の第２の紙幣処理装置の中から選択した一の第２の紙幣処理装置に対して、前記読取機で読み取られたシリアル番号を送信し、
前記複数の第２の紙幣処理装置の各々は、シリアル番号を読取可能な読取機と、前記制御装置から送信されたシリアル番号と異なるシリアル番号が前記読取機にて読み取られたか否かを判定する主制御部と、前記制御装置から送信されたシリアル番号と異なるシリアル番号が前記読取機にて読み取られたと前記主制御部により判定された場合、処理対象でないシリアル番号が前記読取機にて読み取られた旨を表示する表示部と、を有する
ことを特徴とする紙幣処理システム。
【請求項２４】
請求項２３に記載の紙幣処理システムであって、
前記複数の第２の紙幣処理装置の各々は、前記制御装置から送信されたシリアル番号と異なるシリアル番号が前記読取機にて読み取られたと前記主制御部により判定された場合、前記異なるシリアル番号の紙幣束についての第２の仕分けの続行と中止との選択を入力可能な入力部を有する
ことを特徴とする紙幣処理システム。
【請求項２５】
請求項２３に記載の紙幣処理システムであって、
前記制御装置で読み取られたシリアル番号と前記シリアル番号の紙幣束を処理すべき第２の紙幣処理装置とが対応付けられた対応情報と、前記複数の第２の紙幣処理装置の各々についての状態情報とを備え、
前記主制御部は、前記制御装置から送信されたシリアル番号と異なるシリアル番号が前記読取機にて読み取られたと判定した場合、前記異なるシリアル番号の紙幣束を処理すべき第２の紙幣処理装置の状態情報と、自装置の状態情報とが所定の一致率で一致するか否かを判定し、一致すると判定した場合、前記異なるシリアル番号の紙幣束に対して第２の仕分けを行う
ことを特徴とする紙幣処理システム。
【請求項２６】
請求項２０または２１に記載の紙幣処理システムであって、
前記制御装置は、前記第１の紙幣処理装置が行った第１の仕分けの結果に関する仕分け情報が記憶された媒体から前記仕分け情報を読取可能な読取機を有する
ことを特徴とする紙幣処理システム。
【請求項２７】
請求項２６に記載の紙幣処理システムであって、
前記複数の第２の紙幣処理装置の各々は、第２の仕分けを行った紙幣束を分けて収納する複数のポケットを有し、
前記制御装置は、前記複数の第２の紙幣処理装置の各々のポケットの状態に応じて前記複数の第２の紙幣処理装置の中から一の第２の紙幣処理装置を選択する
ことを特徴とする紙幣処理システム。
【請求項２８】
請求項１９から２７の何れか１項に記載の紙幣処理システムであって、
前記制御装置は、前記複数の第２の紙幣処理装置の中から選択した一の第２の紙幣処理装置を変更する入力を受け付ける入力部を有する
ことを特徴とする紙幣処理システム。
【請求項２９】
請求項２８に記載の紙幣処理システムであって、
前記制御装置によって選択された一の第２の紙幣処理装置の情報と、作業員によって選択された一の第２の紙幣処理装置の情報と、を収集して解析する解析装置を備え、
前記制御装置は、前記解析装置の解析結果に基づいて、前記複数の第２の紙幣処理装置の中から一の第２の紙幣処理装置を選択する
ことを特徴とする紙幣処理システム。
【請求項３０】
請求項１に記載の紙幣処理システムであって、
前記第１の紙幣処理装置は、紙幣の正損の仕分けに用いる正損パラメータとして、前記第２の紙幣処理装置が行う紙幣の正損の仕分けに用いる正損パラメータを設定する
ことを特徴とする紙幣処理システム。
【請求項３１】
請求項３０に記載の紙幣処理システムであって、
前記第２の紙幣処理装置は、前記第２の紙幣処理装置が行う紙幣の正損の仕分けに用いる正損パラメータを前記第１の紙幣処理装置に送信し、
前記第１の紙幣処理装置は、前記第２の紙幣処理装置から送信された正損パラメータを紙幣の正損の仕分けに用いる正損パラメータに設定する
ことを特徴とする紙幣処理システム。
【請求項３２】
請求項３０または３１に記載の紙幣処理システムであって、
前記第１の紙幣処理装置は、正券紙幣を収納する紙幣カセット内の紙幣の量に応じて紙幣の正損の仕分けに用いる正損パラメータを調整する
ことを特徴とする紙幣処理システム。
【請求項３３】
請求項３０または３１に記載の紙幣処理システムであって、
前記第１の紙幣処理装置は、損券紙幣を収納する紙幣カセット内の紙幣の量に応じて紙幣の正損の仕分けに用いる正損パラメータを調整する
ことを特徴とする紙幣処理システム。
【請求項３４】
請求項１に記載の紙幣処理システムであって、
前記第１の紙幣処理装置は、紙幣の正損の仕分けに用いる正損パラメータとは異なる基準を有し、前記基準に従って、出金用の紙幣を区分けする
ことを特徴とする紙幣処理システム。
【請求項３５】
請求項３４に記載の紙幣処理システムであって、
前記第１の紙幣処理装置は、出金用の紙幣カセットの収納量に応じて前記基準のしきい値を変更する
ことを特徴とする紙幣処理システム。
【発明の詳細な説明】
【技術分野】
【０００１】
本発明は紙幣処理システムに関し、例えば所定の規則に従う紙幣の仕分け処理を行う紙幣処理システムに適用して好適なものである。
【背景技術】
【０００２】
金融機関の支店、営業所等では、窓口に持ち込まれた大量の紙幣をテラー用の窓口入出金機で処理することが多い。各支店で仕分けられた紙幣は、現金センタに収集され、現金センタで中央銀行に返却する紙幣と、市中に戻す紙幣とに仕分けられる。仕分ける際には、紙幣の方向の仕分け、紙幣の正損の仕分けなど、各支店でいったん実施した仕分け処理を、現金センタで再び繰り返して実施している。
【０００３】
近年、再鑑別処理をする際に、一度目の振り分けと二度目の振り分けとを組み合わせることにより、所定の分類形態を得ることができる技術が開示されている（特許文献１参照）。
【先行技術文献】
【特許文献】
【０００４】
【特許文献１】国際公開第２００８／０４４２７８号
【発明の概要】
【発明が解決しようとする課題】
【０００５】
しかしながら、特許文献１に記載の技術では、１台の装置での再鑑別処理を前提としているため、例えば、支店に設けられる第１の紙幣処理装置、現金センタに設けられる第２の紙幣処理装置というような、複数台で設置場所が異なるような装置間では、第１の紙幣処理装置と第の紙幣処理装置とで同じ仕分けが重複して行われてしまう問題がある。
【０００６】
本発明は以上の点を考慮してなされたもので、紙幣の仕分けを適切に制御し得る紙幣処理システムを提案しようとするものである。
【課題を解決するための手段】
【０００７】
かかる課題を解決するため本発明においては、所定の規則に従う紙幣の仕分け処理を行う紙幣処理システムであって、紙幣束に対して第１の仕分けを行う第１の紙幣処理装置と、前記第１の紙幣処理装置による第１の仕分けの結果に基づいて、前記第１の仕分けが行われた紙幣束に対して第２の仕分けを行う前記第１の紙幣処理装置とは異なる第２の紙幣処理装置と、を設けるようにした。
【０００８】
上記構成によれば、第２の紙幣処理装置は、第１の紙幣処理装置による第１の仕分けの結果に基づいて、第１の仕分けが行われた紙幣束に対して第２の仕分けを行うことができる。
【発明の効果】
【０００９】
本発明によれば、紙幣の仕分けを適切に制御し得る紙幣処理システムを実現することができる。
【図面の簡単な説明】
【００１０】
【図１】第１の実施の形態による紙幣処理システムの構成の一例を示す図である。
【図２】第１の実施の形態による窓口入出金機の主な構成を説明するための図である。
【図３】第１の実施の形態による窓口入出金機の構成の一例を示す図である。
【図４】第１の実施の形態による紙幣仕分け装置の主な構成を説明するための図である。
【図５】第１の実施の形態による紙幣仕分け装置の構成の一例を示す図である。
【図６】第１の実施の形態による仕分け情報の一例を示す図である。
【図７】第１の実施の形態による窓口入出金機で実施する項目および紙幣仕分け装置で実施する項目の一例を示す図である。
【図８】第２の実施の形態による紙幣処理システムの構成の一例を示す図である。
【図９】第２の実施の形態による制御装置の構成の一例を示す図である。
【図１０】第２の実施の形態による紙幣処理システムの第１の動作例を示す図である。
【図１１】第２の実施の形態による紙幣処理システムの第２の動作例を示す図である。
【図１２】第２の実施の形態による情報の収集および解析の例を示す図である。
【図１３】第３の実施の形態による窓口端末と紙幣仕分け装置との正損レベルを合わせる方法を説明するための図である。
【図１４】第５の実施の形態による正損レベルの設定画面の一例を示す図である。
【図１５】第５の実施の形態による紙幣格納処理に係る処理手順の一例を示す図である。
【発明を実施するための形態】
【００１１】
以下図面について、本発明の一実施の形態を詳述する。
【００１２】
（１）第１の実施の形態
図１において、１は全体として第１の実施の形態による紙幣処理システムを示す。紙幣処理システム１は、第１の紙幣処理装置の一例である窓口入出金機１００と、第２の紙幣処理装置の一例である紙幣仕分け装置２００とを含んで構成される。紙幣処理システム１では、紙幣束に対して窓口入出金機１００にて第１の仕分を行い、第１の仕分を行った紙幣束に対して紙幣仕分け装置２００にて第２の仕分を行うことにより、所定の規則に従う仕分整理を行う。所定の規則としては、紙幣の金種の仕分け、紙幣の正損の仕分け、紙幣の方向の仕分け、紙幣の新旧の仕分け、これらの組み合わせが挙げられる。かかる紙幣処理システム１によれば、例えば、窓口入出金機１００と紙幣仕分け装置２００との両方を用いて、中央銀行に戻す損券紙幣と銀行支店で再利用する正券紙幣との仕分け処理を効率化することができる。
【００１３】
ここで、窓口入出金機１００は、係員が操作するための紙幣処理装置（ＴＣＲ（Teller  Cash  Recycler）であり、金融機関（銀行の支店等）の窓口等に設置され、紙幣束に対して第１の仕分け（紙幣の金種、紙幣の正損、紙幣の方向、および紙幣の新旧の仕分けのうちの１または複数）を行う。窓口入出金機１００は、行った第１の仕分けの結果に関する仕分け情報３０１を出力する。なお、窓口入出金機１００は、銀行やコンビニエンスストア、デパート、空港等に設置され、顧客が操作して取引を行うＡＴＭ（Automated  Teller  Machine）やＣＤ（Cash  Dispenser）等であってもよい。
【００１４】
紙幣仕分け装置２００は、窓口入出金機１００からの紙幣を回収して管理する現金センタ等に設置され、第１の仕分けの結果に基づいて第２の仕分けを行う。第２の仕分けは、紙幣の金種、紙幣の正損、紙幣の方向、および紙幣の新旧の仕分けのうちの１または複数の仕分けであり、紙幣仕分け装置２００は、窓口入出金機１００が出力した仕分け情報３０１を受け入れ、仕分け情報３０１に基づいて所定の規則のうち窓口入出金機１００で行われていない１または複数の仕分けの処理内容を第２の仕分けの処理内容として決定してもよいし、仕分け情報３０１を確認した作業員が第２の仕分けの処理内容を決定してもよい。
【００１５】
例えば、窓口入出金機１００により第１の仕分けが行われると、窓口入出金機１００により仕分けされた内容情報を含む仕分け情報３０１と、仕分けされた紙幣のまとまり３０２とが輸送車両３０３により現金センタに運ばれて紙幣仕分け装置２００で受け入れられ、紙幣仕分け装置２００により紙幣のまとまり３０２について仕分け情報３０１に基づいて第２の仕分けが行われる。例えば、紙幣仕分け装置２００は、第２の仕分けとして、紙幣の方向をそろえ、市中に戻す紙幣と中央銀行に戻す紙幣とに分類する。
【００１６】
なお、仕分け情報３０１については、窓口入出金機１００においてレシートなどの媒体に印刷され、紙幣仕分け装置２００で媒体が読み取られて取得される構成であってもよいし、紙幣仕分け装置２００で媒体をもとに作業員により入力される構成であってもよいし、窓口入出金機１００から紙幣仕分け装置２００に送信される構成であってもよいし、その他の構成により窓口入出金機１００から紙幣仕分け装置２００に受け渡されてもよい。
【００１７】
（窓口入出金機の構成）
図２は、窓口入出金機１００の主な構成を説明するための図である。窓口入出金機１００での取引は、顧客に対して入金処理、出金処理など、顧客との取引を行う紙幣の処理単位であり、以下では、第１の処理単位と適宜に称する。
【００１８】
図２に示すように、窓口入出金機１００は、紙幣を受け入れるための入金口１０１、紙幣を返却するための出金返却口１０２、紙幣を識別するための識別部１０３、紙幣を搬送するための搬送路１０４、および紙幣を収納するための１または複数の紙幣カセット１０５〜１０９を含んで構成される。入金口１０１、出金返却口１０２、識別部１０３、および紙幣カセット１０５〜１０９は、搬送路１０４により接続されている。
【００１９】
搬送路１０４の途中には、識別部１０３が設けられ、識別部１０３には、紙幣の真偽判定、紙幣の状態（正損、方向など）、紙幣の枚数、紙幣の特徴（金種、新旧など）、紙幣の識別番号（記番号）を判別するための各種センサ（イメージセンサ、磁気センサ、厚みセンサ、より具体的には、記番号読取センサ、枚数検出センサ、スキャナ、損券検知センサ等）を備え、識別部１０３は、紙幣イメージ等を取得することができる。また、搬送路１０４には、紙幣の通過を検知する通過センサ、紙幣の搬送方向を切り替える振り分けゲート、紙幣を搬送する搬送ローラ、および搬送ローラを駆動するモータがそれぞれ１または複数個設けられている。また、入金口１０１および出金返却口１０２の各々には、紙幣が搬送されてきたことを検出するための紙幣検出センサが設けられている。なお、上記の各機構部の駆動、例えば、搬送路１０４のローラの駆動、搬送路１０４の振り分けゲートの切り替え等は、主制御部１１１（図３）により駆動制御される。
【００２０】
紙幣カセット１０５〜１０９の各々には、紙幣を収納可能な１または複数の収納部、本例では上側収納部１０５Ａ〜１０９Ａ（区別を要しない場合は単に上側収納部と適宜に称する。）および下側収納部１０５Ｂ〜１０９Ｂ（区別を要しない場合は単に下側収納部と適宜に称する。）が設けられている。つまり、本例では、窓口入出金機１００の紙幣カセット１０５〜１０９には、１つの紙幣カセットに２部屋の収納部が設けられ、窓口入出金機１００は、最大１０か所の収納部に紙幣を仕分けすることができる。
【００２１】
図３は、窓口入出金機１００の構成の一例を示す図である。窓口入出金機１００は、紙幣処理部１１０、表示部１２０、操作部１３０、記憶部１４０、通信部１５０、認証部１６０、および印刷装置１７０を含んで構成される。
【００２２】
紙幣処理部１１０は、入金口１０１、出金返却口１０２、識別部１０３、搬送路１０４、紙幣カセット１０５〜１０９、主制御部１１１、ＲＯＭ（Read  Only  Memory）１１２、およびＲＡＭ（Random  Access  Memory）１１３を含んで構成される。主制御部１１１には、入金口１０１、出金返却口１０２、識別部１０３、搬送路１０４、紙幣カセット１０５〜１０９、ＲＯＭ１１２、およびＲＡＭ１１３が接続されている。また、主制御部１１１には、表示部１２０、操作部１３０、記憶部１４０、通信部１５０、認証部１６０、および印刷装置１７０が接続されている。
【００２３】
主制御部１１１は、ＲＯＭ１１２に記憶されたプログラムをＲＡＭ１１３に読み出して実行することにより、接続された各部を制御する。なお、主制御部１１１がプログラムを実行すること（ソフトウェア）により制御することを例に挙げて説明するが、これに限られるものではなく、回路等のハードウェアにより制御を行ってもよいし、ソフトウェアとハードウェアを組み合わせて制御を行ってもよい。
【００２４】
表示部１２０は、入金額、出金額などの各種の情報を表示するディスプレイ等である。操作部１３０は、入金、出金などの取引に係る操作（指示）を行うためのボタン、タッチパネル等である。記憶部１４０は、取引に係る情報などの各種の情報を記憶するハードディスク等の記憶装置である。通信部１５０は、外部の装置（紙幣仕分け装置２００、後述の制御装置８００等）とネットワークを介して情報を送受信する。認証部１６０は、個人認証を行うための指紋センサ、カードリーダなどの認証デバイスである。印刷装置１７０は、通帳記入、仕分け情報３０１の印刷などを行うためのプリンタである。なお、窓口入出金機１００の構成は、上述の構成に限られるものではなく、上述した構成のうちの一部の構成が設けられていてもよく、上述していない他の構成が設けられていてもよい。例えば、窓口入出金機１００には、認証部１６０および印刷装置１７０が設けられていなくてもよい。
【００２５】
（紙幣仕分け装置の構成）
図４は、紙幣仕分け装置２００の主な構成を説明するための図である。紙幣仕分け装置２００が行う紙幣の処理単位を第２の処理単位と適宜に称する。
【００２６】
図４に示すように、紙幣仕分け装置２００は、各種センサ（記番号読取センサ２０１、枚数検出センサ２０２、スキャナ２０３、および損券検知センサ２０４）を有する紙幣識別部２０５と、振り分けゲート２０６と、ポケット２０７と、ホッパ２０８とを含んで構成される。ホッパ２０８は、紙幣４００の投入部であり、投入された紙幣４００を１枚ずつ繰り出して紙幣識別部２０５へ順次搬送する。紙幣識別部２０５は、ホッパ２０８から繰り出された紙幣４００に対して、各種センサを用いて計数、真偽判定、正損分離処理といった仕分け（精査）を行う。振り分けゲート２０６は、紙幣識別部２０５により精査された紙幣４００を振り分ける。ポケット２０７は、リジェクトスタッカ２０７Ａ、スタッカ２０７Ｂ，２０７Ｃからなり、紙幣４００を取り出すことを可能とした開口部を装置前面（ホッパ２０８を設けた側面）に備える。
【００２７】
図５は、紙幣仕分け装置２００の構成の一例を示す図である。紙幣仕分け装置２００は、紙幣処理部２１０、表示入力部２２０、通信部２３０、格納部２４０、および読取機２５０を含んで構成される。紙幣処理部２１０は、記番号読取センサ２０１、枚数検出センサ２０２、スキャナ２０３、損券検知センサ２０４、振り分けゲート２０６、ポケット２０７、ホッパ２０８、主制御部２１１、ＲＯＭ２１２、およびＲＡＭ２１３を含んで構成される。主制御部２１１には、記番号読取センサ２０１、枚数検出センサ２０２、スキャナ２０３、損券検知センサ２０４、振り分けゲート２０６、ポケット２０７、ホッパ２０８、ＲＯＭ２１２、およびＲＡＭ２１３が接続されている。また、主制御部２１１には、表示入力部２２０、通信部２３０、格納部２４０、および読取機２５０が接続されている。
【００２８】
主制御部２１１は、ＲＯＭ２１２に記憶されたプログラムをＲＡＭ２１３に読み出して実行することにより、接続された各部を制御する。なお、主制御部２１１がプログラムを実行すること（ソフトウェア）により制御することを例に挙げて説明するが、これに限られるものではなく、回路等のハードウェアにより制御を行ってもよいし、ソフトウェアとハードウェアを組み合わせて制御を行ってもよい。
【００２９】
表示入力部２２０は、タッチパネル付きディスプレイ等であり、表示機能と入力機能とを有し、操作者に対して情報を表示したり、操作者による入力操作を受け付けたりする。なお、表示入力部２２０については、表示部（ディスプレイ等）と入力部（ボタン等）とのように、表示機能と入力機能とが別々の装置で構成されてもよい。通信部２３０は、外部の装置（窓口入出金機１００、後述の制御装置８００等）とネットワークを介して情報の送受信を行う。格納部２４０は、ハードディスク等の記憶装置であり、紙幣識別情報２４１、正損分離基準情報２４２、紙幣画像情報２４３などの各種情報を格納する。読取機２５０は、二次元バーコードを読取可能なバーコードリーダなどである。
【００３０】
従来、紙幣仕分け装置における第２の処理単位において、紙幣の金種、紙幣の正損、紙幣の方向、紙幣の新旧の仕分けなどを行っていたが、それらを全て行うとすると、大がかりな装置が必要となり、膨大な時間が必要であった。この点、本実施の形態では、窓口入出金機１００における第１の処理単位で行った仕分け（分類）を、第２の処理単位で省略することで、第２の処理単位にかかる時間を軽減することができ、紙幣処理にかかわる業務を効率化することができる。以下では、仕分けの例について説明する。
【００３１】
（仕分け例１：紙幣の方向を予め分けておく例）
窓口入出金機１００の複数の紙幣カセット１０５〜１０８の各々は、例えば、紙幣の金種（例えば、１０００円、２０００円、５０００円、１００００円）に対応して設けられ、第１の処理単位で、例えば２方向（例えば、表かつ順方向および表かつ逆方向）のみを受け付けるようにし、かつ、その紙幣を、例えば紙幣カセット１０５〜１０８の上側収納部と下側収納部とにそれぞれ分けて収納し、その他の方向の紙幣を出金返却口１０２に返すことで、紙幣の金種と紙幣の方向とをそろえておくことができる。
【００３２】
換言するならば、識別部１０３は、入金口１０１から受け入れた紙幣の方向が予め定めたものと一致するか否かを識別し、主制御部１１１は、識別部１０３により紙幣の方向が一致すると識別された場合、紙幣の金種に対応する紙幣カセットに紙幣を収納し、紙幣の方向が一致しないと識別された場合、出金返却口１０２に紙幣を返却するように制御を行うので、紙幣の金種および方向で仕分けられる。
【００３３】
ここで、紙幣の方向とは、表向きおよび裏向きと、順向き（正立方向）および逆向き（倒立方向）との組み合わせをいい、紙幣は、表かつ順方向、表かつ逆方向、裏かつ順方向、裏かつ逆方向の４方向の何れかの方向で入金口１０１にセットされる。
【００３４】
上記の仕分け例１では、紙幣の方向が予め定められた２方向のみを受け付ける例を説明したが、紙幣カセット１０５〜１０９の収納部を３つとして３方向のみを受け付ける構成としてもよいし、収納部を４つとして全ての方向（４方向）を受け付ける構成としてもよい。
【００３５】
また、取扱い金種が少ない場合は、例えば、紙幣カセット１０５と紙幣カセット１０６とで、２方向の紙幣を受け付ける構成とすることも可能である。また、顧客が予め方向をそろえてくる習慣があるような国または地域では、特定の１方向の紙幣のみ受け付け、他の３方向の紙幣については、出金返却口１０２に返す構成とすることも可能である。
【００３６】
（仕分け例２：紙幣の正損を予め分ける例）
紙幣の正損の仕分け（正損分離処理）とは、真偽判定により真券紙幣と偽券紙幣とに区分された紙幣のうち真券紙幣を正損分離基準情報２４２（正損レベルのしきい値）に基づいて正券紙幣であるか損券紙幣であるかを判定し、物理的に正券紙幣と損券紙幣とを区分する処理である。例えば、複数の紙幣カセット１０５〜１０８の各々は、紙幣の金種に対応して設けられ、第１の処理単位で、現金センタのガイダンスに従って、紙幣の正損レベルのしきい値（正損パラメータ）を現金センタと同じに設定することで、正券紙幣を紙幣カセット１０５〜１０８の下側収納部に収納し、損券紙幣を上側収納部に収納し、第１の処理単位で、正損および金種を分類しておくことが可能となる。
【００３７】
換言するならば、識別部１０３は、入金口１０１から受け入れた紙幣が正券紙幣であるか損券紙幣であるかを識別し、主制御部１１１は、識別部１０３により正券紙幣であると識別された紙幣と損券紙幣であると識別された紙幣とを、金種に対応する紙幣カセットの異なる収納部（上側収納部または下側収納部）に収納するように制御を行うので、紙幣の金種および正損で仕分けられる。
【００３８】
なお、窓口入出金機１００と紙幣仕分け装置２００とが同じ損券検知センサを有していない場合は、正損パラメータを変換できる変換テーブルを持つことで対応することができる。
【００３９】
上記の仕分け例２では、仕分け例１と同様、例えば、取扱い金種が少ない国または地域では、紙幣カセット１０５と紙幣カセット１０６とで、正券紙幣と損券紙幣とを分ける構成とすることも可能である。
【００４０】
（仕分け例３：紙幣の新旧を予め分ける例）
紙幣の新旧の仕分け（新旧分離処理）とは、紙幣の判定によって、紙幣の金種が同じ紙幣を同一シリーズとして分類し、旧券紙幣および新券紙幣などのように紙幣の価値は同じでも、その形態が異なる紙幣を区分する処理である。例えば、複数の紙幣カセット１０５〜１０８の各々は、紙幣の金種に対応して設けられ、新券紙幣を紙幣カセットの下側収納部に収納し、旧券紙幣を上側収納部に収納することで、第１の処理単位で、紙幣を新券紙幣と旧券紙幣とに分けておくことができる。
【００４１】
換言するならば、識別部１０３は、入金口１０１から受け入れた紙幣が同一価値の新券紙幣であるか旧券紙幣であるかを識別し、主制御部１１１は、識別部１０３により新券紙幣であると識別された紙幣と旧券紙幣であると識別された紙幣とを、金種に対応する紙幣カセットの異なる収納部（上側収納部または下側収納部）に収納するように制御を行うので、紙幣の金種および新旧で仕分けられる。
【００４２】
上記の仕分け例３では、仕分け例１と同様、例えば、紙幣の種類が少ない国または地域においては、紙幣カセット１０５と紙幣カセット１０６とで、新券紙幣と旧券紙幣とを分ける構成とすることも可能である。
【００４３】
付言するならば、上記の仕分け例１〜３については、複数組み合わせることも可能である。
【００４４】
上述したように、第１の処理単位で仕分けられた紙幣のまとまり３０２は、「どういう仕分けがなされたか」という情報（仕分け情報３０１）と紐付けられて、現金センタに輸送される。その紐付けは、例えば、紙幣のまとまり３０２と、紙幣のまとまり３０２毎に取り付けた仕分け情報３０１とにその情報（例えば、第１の処理単位を識別可能なシリアル番号）を入れることで行われてもよい。仕分け情報３０１は、印刷装置１７０によりレシート等の媒体に、そのまま印刷されてもよいし、２次元バーコードとして印刷されてもよいし、例えば図６に示すように、これらの組み合わせであってもよい。
【００４５】
紙幣のまとまり３０２を受け取った紙幣仕分け装置２００の作業員は、仕分け情報３０１から、どの処理が既になされているかがわかるので、現金センタの紙幣仕分け装置２００の表示入力部２２０を介して処理内容を入力することで、紙幣仕分け装置２００では、まだ実施されていない仕分け（ソート）を行うことができる。
【００４６】
また、作業員は、仕分け情報３０１を紙幣仕分け装置２００の読取機２５０に読み取らせ（窓口入出金機１００より出力された仕分け情報３０１を受け入れ）、仕分け情報３０１に基づいて紙幣仕分け装置２００（現金センタ）において必要な仕分けを自動的に決定する構成としてもよい。
【００４７】
例えば、図７に示す窓口入出金機１００で実施する項目５０１における例１のように、第１の処理で紙幣の金種、方向の仕分けが行われ、新旧の仕分けが不要である場合、紙幣仕分け装置２００で実施する項目５０２に示すように、紙幣仕分け装置２００では、金種、方向、および新旧の仕分けをする必要はなく、紙幣仕分け装置２００は、紙幣の正損の仕分けのみを行うとする処理内容を決定することができる。また、図７に示す例２のように、紙幣の金種、正損の仕分けが第１の処理で実施され、新旧の仕分けが不要である場合、第２の処理において、紙幣の正損の仕分けをする必要はなく、紙幣仕分け装置２００は、未だ実施されていない方向の仕分けのみを行う処理内容を決定することができる。
【００４８】
このように、紙幣仕分け装置２００は、窓口入出金機１００で出力された仕分け情報３０１を適宜の方法により受け入れ、仕分け情報３０１に基づいて第２の仕分けを行うことができる。かかる構成によれば、第１の処理単位で実施された仕分けについては、現金センタなどにおける第２の処理単位で実施する必要がなく、第２の処理単位での処理量を軽減することができる。
【００４９】
図７に示す例１〜例６はあくまでも一例であり、さまざまな項目の組み合わせがあり得るが、何れの組み合わせであっても、第１の処理単位で実施した項目を第２の処理単位で省略することで、処理量を軽減することが可能となり、大規模な設備投資も不要となる。
【００５０】
また、本実施の形態では、支店に設けられる窓口入出金機１００として説明したが、ＡＴＭなど、他の装置でも同じ構成で実施することができる。
【００５１】
また、本実施の形態では、窓口入出金機１００が媒体に印刷した仕分け情報３０１を紙幣仕分け装置２００で読み取る例を挙げて説明したが、窓口入出金機１００は、通信部１５０を介して紙幣仕分け装置２００に仕分け情報３０１を送信し、紙幣仕分け装置２００は、通信部２３０を介して仕分け情報３０１を受信する構成とすることも可能である。
【００５２】
また、本実施の形態は、上述の内容に限られるものではなく、例えば、現金センタの紙幣仕分け装置２００で行う予定の第２の仕分けの処理内容を表示入力部２２０（表示部の一例）に表示する構成を採用し、作業員がその内容を確認できるようにしてもよい。また、例えば、紙幣仕分け装置２００で行う予定の第２の仕分けの処理内容を実施するか否かを表示入力部２２０（入力部の一例）で入力可能にする構成を採用し、作業員が実施するか否かを決定できるようにしてもよい。また、例えば、第２の仕分けが複数の処理内容を含む場合、表示入力部２２０を介して、複数の処理内容を処理順に表示して各々の処理内容の確認や処理順を変更若しくは削除する入力、および／または、別の処理について処理内容の追加、若しくは処理内容の選択をする入力等を作業員が行えるようにしてもよい。
【００５３】
上述した紙幣処理システム１によれば、紙幣の仕分けを適切に制御することができる。
【００５４】
（２）第２の実施の形態
本実施の形態に係る紙幣処理システム２では、１または複数の窓口入出金機１００と１または複数の紙幣仕分け装置２００とが接続される。本実施の形態では、第１の実施の形態と異なる点について主に説明し、同じ構成についてはその説明を適宜に省略する。
【００５５】
図８は、紙幣処理システム２の構成の一例を示す図である。紙幣処理システム２は、複数の窓口端末（支店には、複数の窓口入出金機１００、複数のＡＴＭ６００など、顧客の紙幣を入金等する複数の装置が設置される。以下では、これらを総称して窓口端末と適宜に称する。）と、複数の紙幣仕分け装置２００と、紙幣情報管理サーバ７００と、制御装置８００とを含んで構成される。紙幣処理システム２では、複数の紙幣仕分け装置２００の中から選択された１台の紙幣仕分け装置２００が第２の仕分けを行う。なお、窓口端末の構成については、窓口入出金機１００の構成と同様であるので、その説明を省略する。
【００５６】
窓口端末は、銀行内の紙幣情報管理サーバ７００とネットワークを介して通信可能に接続される。窓口端末で行われる紙幣処理が第１の実施の形態で説明した第１の処理単位であり、現金センタの紙幣仕分け装置２００で行われる紙幣処理が第１の実施の形態で説明した第２の処理単位である。
【００５７】
現金センタには、中央銀行に戻す損券紙幣と市中にもどす正券紙幣とを仕分けることのできる、１つまたは複数の紙幣仕分け装置２００と、紙幣情報管理サーバ７００と接続された制御装置８００とが設けられる。制御装置８００は、紙幣情報管理サーバ７００とネットワークを介して接続され、ＬＡＮ（Local  Area  Network）、ＵＳＢ（Universal  Serial  Bus）などで、紙幣仕分け装置２００と接続されている。
【００５８】
制御装置８００は、窓口端末で行われた第１の仕分けの結果に基づいて、複数の紙幣仕分け装置２００の中から１台を選択する（第２の処理単位に最適な紙幣仕分け装置２００を示す推奨装置情報を生成する）コンピュータ等である。制御装置８００には、推奨装置情報を出力する出力部８０１と、仕分け情報３０１を読取可能な読取機８０２と、各種の情報を印刷するためのプリンタ８０３とが接続されている。なお、制御装置８００の構成は、上述の構成に限られるものではなく、例えば、出力部８０１、読取機８０２、およびプリンタ８０３の何れも接続されていなくてもよい。
【００５９】
（制御装置の構成）
図９は、制御装置８００の構成の一例を示す図である。制御装置８００は、出力部８０１、読取機８０２、プリンタ８０３、ＣＰＵ（Central  Processing  Unit）８１０、メモリ８２０、記憶部８３０、および通信部８４０を含んで構成される。
【００６０】
ＣＰＵ８１０は、各種の処理を行う処理部の一例であり、記憶部８３０に記憶されたプログラムをメモリ８２０に読み出して実行することで制御装置８００の各種の機能（状態取得部８２１、処理内容特定部８２２、処理装置選定部８２３等）が実現される。なお、ＣＰＵ８１０がプログラムを実行すること（ソフトウェア）により制御装置８００の機能を実現する例に挙げて説明するが、これに限られるものではなく、回路等のハードウェアにより制御装置８００の機能を実現してもよいし、ソフトウェアとハードウェアを組み合わせて制御装置８００の機能を実現してもよい。
【００６１】
メモリ８２０は、ＲＡＭ、ＲＯＭ等であり、各種の情報を記憶する。記憶部８３０は、ハードディスク等であり、各種の情報を記憶する。通信部８４０は、外部の装置（紙幣情報管理サーバ７００、紙幣仕分け装置２００等）とネットワークを介して情報の送受信を行う。
【００６２】
状態取得部８２１は、定期的にまたは所定のタイミングで紙幣仕分け装置２００から後述の状態情報を取得または受信する。処理内容特定部８２２は、仕分け情報３０１に基づいて第２の仕分けの処理内容を特定する。処理装置選定部８２３は、仕分け情報３０１と状態情報とに基づいて、処理内容特定部８２２で決定された処理内容を実行するのに適した一の紙幣仕分け装置２００を選定する。
【００６３】
なお、紙幣情報管理サーバ７００は、コンピュータ等であり、図示は省略するが、各種の処理を行う処理部（ＣＰＵなど）、各種の情報を記憶する記憶部（ＲＡＭ、ＲＯＭ、ハードディスク等）、および外部の装置とネットワークを介して情報を送受信する通信部を含んで構成される。処理部が記憶部に記憶されたプログラムを読み出して実行することで紙幣情報管理サーバ７００の各種の機能が実現される。なお、処理部がプログラムを実行すること（ソフトウェア）により紙幣情報管理サーバ７００の機能を実現することに限られるものではなく、回路等のハードウェアにより紙幣情報管理サーバ７００の機能を実現してもよいし、ソフトウェアとハードウェアを組み合わせて紙幣情報管理サーバ７００の機能を実現してもよい。
【００６４】
（紙幣処理システムの第１の動作例）
紙幣処理システム２における動作（紙幣の仕分け処理の効率化など）について、図１０を例に挙げて説明する。ここでは、顧客が持ち込んだ紙幣を係員が窓口端末を用いて処理することを例に挙げて説明するが、これに限られるものではなく、例えば、顧客が窓口端末に直接入金する形態でもよいし、店舗外の窓口端末が用いられて入金される形態であってもよい。
【００６５】
係員が窓口端末に顧客の紙幣を入金すると、窓口端末の主制御部１１１は、識別部１０３から得られる情報をもとに紙幣を仕分け、対応する紙幣カセット１０５〜１０９に紙幣を収納する。
【００６６】
複数の窓口端末で仕分けられた各紙幣のまとまり３０２については、紙幣のまとまり３０２に係る第１の処理単位を識別可能なシリアル番号を含む識別情報３０４が紐付けられる。また、定期的に、所定の時刻に、所定の操作に応じて、またはリアルタイムに、第１の処理単位で実施した処理内容（シリアル番号、装置番号、紙幣の金種、紙幣の枚数、紙幣の方向、紙幣の正損、紙幣の真偽等を示す情報を含む仕分け情報３０１）が紙幣情報管理サーバ７００に送信（通知）される。
【００６７】
仕分け情報３０１は、所定の紙幣のまとまり３０２単位であればよく、例えば、装置ごと、紙幣カセットごと、特定の束ごとなどでよい。以下では、紙幣カセットごとに仕分けられた例を挙げて説明する。
【００６８】
なお、複数の窓口端末で仕分けられた紙幣のまとまり３０２は、識別情報３０４と共に、輸送車両３０３により現金センタに送られる。
【００６９】
紙幣情報管理サーバ７００は、仕分け情報３０１を受信すると、現金センタに配置されている制御装置８００に送信する。制御装置８００は、仕分け情報３０１を紙幣情報管理サーバ７００から受信すると、どの紙幣仕分け装置２００でどういう仕分けをするべきかの処理内容を特定（決定）する。紙幣情報管理サーバ７００から作業員の携帯端末に仕分け情報３０１が送信された旨の通知がされた作業員は、読取機８０２で識別情報３０４（シリアル番号）を読み取ると、識別情報３０４（シリアル番号）に対応する仕分け情報３０１に係る情報（第１の仕分けで行われた処理内容であってもよいし、第２の仕分けで行う予定の処理内容であってもよい。）が表示され、その表示内容を参照して、所定の紙幣仕分け装置２００で仕分け作業を行う。
【００７０】
複数の紙幣仕分け装置２００が配備されているような大型の現金センタでは、制御装置８００は、読取機８０２で読み取られたシリアル番号の紙幣束を仕分けするのに適した複数の紙幣仕分け装置２００の中から選択した１台を示す情報を表示することができる。かかる表示によれば、作業員は、仕分けに適した紙幣仕分け装置２００で仕分けができるようになる。また、制御装置８００は、複数の紙幣仕分け装置２００の各種状態を示す状態情報（運用状態、稼働状態など）を管理しており、制御装置８００では、状態情報と仕分け情報３０１とに基づいて第２の仕分処理を行うのに適切な紙幣仕分け装置２００を選択して決定することができる。
【００７１】
制御装置８００は、各紙幣仕分け装置２００の稼働状態として、故障等によって使用不能となっている紙幣仕分け装置２００の存在、各紙幣仕分け装置２００のポケット２０７の状態（ポケット２０７の局所的な故障、取り残し紙幣の残存等によって縮退運用している場合等）に関する情報を用いることによって、適切な紙幣仕分け装置２００を決定してもよい。
【００７２】
また、制御装置８００は、各紙幣仕分け装置２００の運用状態として、処理待ちの件数、処理待ちの枚数、紙幣仕分け装置２００のスペックに関する情報（スペック情報）の少なくとも１つ、またはこれらの組み合わせの情報を用いることによって、適切な紙幣仕分け装置２００を決定してもよい。
【００７３】
また、制御装置８００は、稼働状態と運用状態とを組み合わせて決定してもよい。例えば、制御装置８００は、各紙幣仕分け装置２００の稼働状態に基づいて、稼働している紙幣仕分け装置２００を特定する。そして、制御装置８００は、稼働している紙幣仕分け装置２００の中から、仕分け情報３０１から特定される処理すべき項目（処理内容）とスペック情報とに基づいて、第２の仕分けが処理可能な紙幣仕分け装置２００を選定する。この際、複数の紙幣仕分け装置２００が選定された場合、制御装置８００は、例えば、処理待ちの件数および処理待ちの枚数の一方または両方とスペック情報とに基づいて、第２の仕分けが最も先に終了可能な紙幣仕分け装置２００を選定する。
【００７４】
作業員は、紙幣仕分け装置２００に備えられた読取機２５０で識別情報３０４（シリアル番号）を読み取り、これから処理をするための仕分け内容を設定（バッチを管理）する。シリアル番号を、事前に制御装置８００から、それぞれの紙幣仕分け装置２００に通知しておくことにより、通知と異なったシリアル番号が読み取られると、その旨が紙幣仕分け装置２００の表示入力部２２０（画面）で表示され、作業員は、続行の選択をすることも、中止の選択をすることもできるようになる。換言するならば、紙幣仕分け装置２００の読取機２５０は、シリアル番号を読み取り、主制御部２１１は、制御装置８００から送信されたシリアル番号と異なるシリアル番号が読取機２５０にて読み取られたか否かを判定する。また、表示入力部２２０は、制御装置８００から送信されたシリアル番号と異なるシリアル番号が読取機２５０にて読み取られたと主制御部２１１により判定された場合、処理対象でないシリアル番号が読取機２５０にて読み取られた旨を表示する。また、表示入力部２２０は、制御装置から送信されたシリアル番号と異なるシリアル番号が前記読取機にて読み取られた場合、当該異なるシリアル番号の紙幣束の仕分けの続行と中止との選択を入力する。
【００７５】
また、シリアル番号をもとに、仕分け項目、設定内容、手順を紙幣仕分け装置２００の表示入力部２２０にガイダンスすることもできる。例えば、仕分け項目が紙幣の正損および紙幣の方向の仕分けであるとき、設定内容としては、紙幣仕分け装置２００のポケット２０７が８つ設けられている場合、紙幣の正損および紙幣の方向の仕分けを一度に実行する設定内容、紙幣仕分け装置２００のポケット２０７が４つ設けられている場合、紙幣の方向の仕分けを実行してから、紙幣の正損の仕分けを実行する設定内容などが挙げられる。
【００７６】
ここで、制御装置８００は、読取機８０２で読み取られたシリアル番号と当該シリアル番号の紙幣束を処理すべき紙幣仕分け装置２００とが対応付けられた対応情報と、複数の紙幣仕分け装置２００の各々についての状態情報とを記憶部８３０に記憶する。故に、第２の仕分け処理を行うべく選択された紙幣仕分け装置２００は、自装置で処理すべき紙幣束のシリアル番号と異なるシリアル番号を読み取った場合、その異なるシリアル番号の紙幣束を処理すべき紙幣仕分け装置２００の状態情報を取得し、自装置の状態情報と比較して所定の一致率以上であれる場合、同様の仕分け処理が可能であるので、その異なるシリアル番号の紙幣束を受け入れて第２の仕分処理を実行してもよい。
【００７７】
上述した例は、紙幣仕分け装置２００に読取機２５０が設けられている例について示したが、読取機２５０が設けられていない場合は、紙幣仕分け装置２００の表示入力部２２０にシリアル番号を入力する構成としてもよい。
【００７８】
さらに、制御装置８００が紙幣仕分け装置２００と接続されていなくても、作業員は、所定の仕分け処理内容を出力する出力部８０１の指示に従って、作業することもできる。出力部８０１は、例えばディスプレイであり、所定の仕分け処理内容が画面に表示されることが通常であるが、制御装置８００に接続されたプリンタ８０３などに所定の仕分け処理内容を印字する構成であってもよい。
【００７９】
また、上述した例では、制御装置８００で紙幣のまとまり３０２を処理すべき適切な紙幣仕分け装置２００を決定するが、例えば、実際に作業をする作業員がその処理の順序や紙幣仕分け装置２００を、実際の状況に応じて変更してもよい。
【００８０】
（紙幣処理システムの第２の動作例）
第１の動作例では、窓口端末と紙幣仕分け装置２００とが情報管理サーバ７００に接続された例を挙げて説明したが、そのような大規模なシステムでない場合について、図１１に例を挙げて説明する。
【００８１】
窓口端末は、紙幣束に対して行った第１の仕分けの結果に関する仕分け情報３０１を媒体３０５（紙であってもよいし、接触式または非接触のＩＣ（Integrated  Circuit）カードであってもよいし、ＩＣタグであってもよいし、ＣＤ（Compact  Disc）等の記憶媒体であってもよいし、その他の媒体であってもよい。）に記憶する。仕分け情報３０１などの内容を記した媒体３０５は、窓口端末で仕分けられた紙幣のまとまり３０２と共に、現金センタに送られる。
【００８２】
媒体３０５には、第１の処理単位で仕分けた、金種、枚数などの仕分け情報３０１が含まれ、現金センタに配置されている制御装置８００の読取機８０２で情報を読み取ることにより、適切な紙幣仕分け装置２００を示す情報を出力することが可能である。なお、その他の構成については、図１０を用いて説明した構成と同様である。
【００８３】
上述した例においては、制御装置８００で出力された情報に従って操作をする例について説明したが、例えば、紙幣仕分け装置２００の故障、処理状況によっては、当該出力された情報に従えない場合もあり、制御装置８００では、使用する紙幣仕分け装置２００をマニュアルでも指定が可能である（決定した紙幣仕分け装置２００を変更するユーザ操作を図示しない入力部（ポインティングデバイス、キーボード等）を介して受け付けてもよい）。
【００８４】
（情報の収集および解析）
図１２に示すように、解析装置９００は、１または複数の制御装置８００における処理結果の情報を収集し、例えば、作業員が制御装置８００での通知結果を異なる作業をしたデータを集めることで、より最適な紙幣仕分け装置２００の選択や設定の順序を決定することが可能である。
【００８５】
例えば、解析装置９００は、月に一度集めた指示（決定結果）と実際の処理とを比較し、所定の紙幣仕分け装置２００が使われないと判定した場合、選択の対象から外すように制御装置８００に指示してもよい。また、例えば、解析装置９００は、所定の紙幣仕分け装置２００が最初に使われることが多いと解析した場合、優先度を上げるなど、実際の仕分け状況に応じた決定をするように制御装置８００に指示してもよい。
【００８６】
このように、解析装置９００からの指示（解析結果）に基づいて、制御装置８００は、複数の紙幣仕分け装置２００を適切に決定（選択）することで、支店から送られてくる紙幣を効率的に処理することが可能となる。
【００８７】
解析装置９００は、コンピュータ等であり、図示は省略するが、各種の処理を行う処理部（ＣＰＵなど）、各種の情報を記憶する記憶部（ＲＡＭ、ＲＯＭ、ハードディスク等）、および外部の装置とネットワークを介して情報を送受信する通信部を含んで構成される。処理部が記憶部に記憶されたプログラムを読み出して実行することで解析装置９００の各種の機能が実現される。なお、処理部がプログラムを実行すること（ソフトウェア）により解析装置９００の機能を実現することに限られるものではなく、回路等のハードウェアにより解析装置９００の機能を実現してもよいし、ソフトウェアとハードウェアを組み合わせて解析装置９００の機能を実現してもよい。
【００８８】
（３）第３の実施の形態
本実施の形態では、窓口端末と紙幣仕分け装置２００との紙幣の正損状態のレベル（正損レベル）を合わせる方法について説明する。
【００８９】
現金センタでは、例えば、市中に出回る紙幣の流通量をコントロールするため、紙幣仕分け装置２００の正損レベルの変更が行われる。
【００９０】
そのため、現金センタでの処理の効率化のために、窓口端末側の正損レベルと、紙幣仕分け装置２００の正損レベルとの同期をとることが好適である。
【００９１】
本実施の形態では、図１３に示すように、各紙幣仕分け装置２００は、設定された正損パラメータ１０００を制御装置８００に送信し、制御装置８００は、受信した正損パラメータ１０００をサーバ７００に送信し、サーバ７００は、受信した正損パラメータ１０００を窓口端末に送信する。かかる構成により、紙幣仕分け装置２００（中央端末）側の正損レベルと窓口端末（市中端末）側の正損レベルとを合わせておくことが可能である。
【００９２】
正損パラメータ１０００については、直接窓口端末に配信され、自動的に変更されることが好適であるが、例えば、表示画面を備えた係員の携帯端末に正損パラメータ１０００を送付して、係員のマニュアル操作により、正損レベルの設定を変更する構成を採用することも可能である。
【００９３】
上述のように、紙幣仕分け装置２００の正損レベルの変更が行われるとしても、窓口端末が、紙幣の正損の仕分けに用いる正損パラメータとして、紙幣仕分け装置２００が行う紙幣の正損の仕分けに用いる正損パラメータを設定することで、紙幣仕分け装置２００は、窓口端末における紙幣の正損の仕分けの結果に基づいて、紙幣の正損の仕分けの処理を省略することができるにようになる。
【００９４】
また、窓口端末の正損パラメータは、紙幣仕分け装置２００の正損パラメータに合わせて、変更することができるが、紙幣仕分け装置２００からの正損パラメータ１０００によって窓口端末を運用していると、例えば、損券紙幣として回収される紙幣が多くなって、窓口の正券紙幣が不足するケースもあり得る。こうした場合、窓口において利用可能な紙幣の量（例えば、正券紙幣を収納する紙幣カセット１０５〜１０９内の紙幣の量）に応じて、正損パラメータを調整する（正損レベルのしきい値を変更する）ことができる。この調整は、手動で行われてもよいし、自動で行われてもよい。例えば、窓口端末は、正券紙幣の枚数が所定の枚数以下となったときに所定の値まで正損レベルのしきい値を下げることで、正損パラメータを自動で調整する。
【００９５】
また、紙幣カセット１０５〜１０９内の紙幣の収納量（例えば、損券紙幣を収納する紙幣カセット１０５〜１０９内の紙幣の量）に応じて、正損パラメータを調整する（正損レベルのしきい値を変更する）ことができる。この調整は、手動で行われてもよいし、自動で行われてもよい。例えば、窓口端末は、損券紙幣を収納する紙幣カセット１０５〜１０９の収納率が所定値以上となったときに、所定の値まで正損レベルのしきい値を上げることで、正損パラメータを自動で調整する。
【００９６】
上述のように正損パラメータが調整されると、窓口端末の正損レベルは、紙幣仕分け装置２００の正損レベルとは異なるので、窓口端末は、仕分け情報３０１における正損の仕分けについては常に未実施とする。なお、窓口端末において紙幣の正損の仕分けが行われていたとしても、紙幣仕分け装置２００は、当該紙幣について正損の仕分けを行うことになる。
【００９７】
（４）第４の実施の形態
銀行に訪れる顧客にとっては、窓口入出金機１００にて出金されて係員から受け取る紙幣、自動機（ＡＴＭ６００またはＣＤ（Cash  Dispenser））から出金される紙幣は、きれいな紙幣であるほうが喜ばれる。
【００９８】
しかしながら、実際には、例えば、還流型のシステムでは、正券紙幣と受け付けた紙幣（偽券ではなく、再還流可能な最低限の品質の紙幣）を再出金しているので、正券紙幣として受け付けた紙幣の中には、一部が汚れていたり、角が折れていたりするものも含まれ、必ずしもきれいな紙幣が出金されて顧客に手渡されるわけではない。
【００９９】
そのため、なるべくきれいな紙幣を顧客に渡すためには、窓口入出金機１００にて正券紙幣として受け付ける紙幣を、その品質（きれいさの程度）によって高品質紙幣（自動機用の紙幣）と通常品質紙幣（銀行の保管用の紙幣）とに分けて収納し、自動機に現金補充する場合は高品質紙幣のみを補充するようにしたり、窓口入出金機１００から出金して顧客用にお金を渡す際に、高品質紙幣から優先して出金することでその要望に応えることが可能となる。
【０１００】
このような場合、例えば、窓口入出金機１００の紙幣カセット１０５〜１０９の上側収納部１０５Ａ〜１０９Ａに高品質紙幣を収納し、通常品質紙幣を下側収納部１０５Ｂ〜１０９Ｂに収納し、出金取引時には、上側収納部１０５Ａ〜１０９Ａの高品質紙幣を優先して出金することで、上記のような対応が実現できる。また、自動機への補充用に高品質紙幣を取り置きしたい場合、下側収納部１０５Ｂ〜１０９Ｂの通常品質紙幣から優先的に出金させ、上側収納部１０５Ａ〜１０９Ａの高品質紙幣を残しておくことも可能である。
【０１０１】
また、紙幣カセット１０５〜１０９が２段の収納部を有しない通常の１段の紙幣カセットの窓口入出金機１００である場合、正券紙幣として受け付けた紙幣の内の高品質紙幣については各金種別のリサイクルカセット（ＲＢ：Recycle  Box）に収納し、通常品質紙幣については入金専用庫（ＡＢ：Acceptance  Box）に金種混合の状態で収容するようにして、出金取引時に各紙幣カセットから高品質紙幣のみを出金するようにしてもよい。この場合、入金専用庫に金種混在で収納されている紙幣束は、現金センタの紙幣仕分け装置２００にて金種を分離したり、紙幣の方向を揃えたりするなど、必要な仕分けを行うことができる。なお、入金専用庫内の紙幣は、正券紙幣のみを収納する仕分けが既に行われているので、紙幣仕分け装置２００では正券紙幣のみを抽出する仕分処理を行う必要はなく、効率的な仕分けが可能である。
【０１０２】
（５）第５の実施の形態
第４の実施の形態では、正券紙幣の内の特にきれいな紙幣（高品質紙幣）を通常の紙幣（通常品質紙幣）と分離して窓口入出金機１００の所定の収納部に格納することで、きれいな紙幣を所望する顧客の要望に応える構成について説明した。しかしながら、例えば、ＡＴＭ６００用の高品質紙幣ばかりが入金されてくると、高品質紙幣用の紙幣カセット１０５〜１０９がすぐに満杯になってしまい、その後の入金取引のための紙幣の取出しなどで、係員の手間がかかる。
【０１０３】
そこで、正券紙幣として受け付けた紙幣を高品質紙幣として扱う際の基準（しきい値）を、高品質紙幣用カセット内の紙幣の収容量に応じて可変的に調整（変更）することによって、高品質紙幣用カセットがすぐに満杯になることを防止することができる構成について以下に説明する。
【０１０４】
窓口入出金機１００の紙幣カセット１０５〜１０９としては、図２に示すような２段カセット（ＤＲＢ：Dual  Recycle  Box）とし、１つの紙幣カセットの上段と下段とには、同一金種の紙幣を品質を分けて収納する。ＡＴＭ６００用の高品質紙幣には、例えば、レベルＡ（新札同様、折れもなし）、レベルＢ（紙自体は新札同様だが折れ跡あり）、レベルＣ（折れ跡や皺は多少あるが、十分にきれいなレベル）などの、更に細分化したレベルを設け、高品質紙幣用の紙幣カセット１０５〜１０９内の紙幣の量や、別途収納されている通常品質紙幣の量に応じて、高品質紙幣のしきい値（レベルＡ／Ｂ／Ｃ）を変更する。このしきい値（判別基準）については、窓口入出金機１００の紙幣処理部１１０で判別可能なものであれば、別の観点（紙幣詰まり（ジャム）するか否か、紙幣に汚れがあるか否か等）でもよいし、更に細分化したものであってもよい。
【０１０５】
（正損レベル設定）
図１４は、正損レベルの設定画面の一例（設定画面１１００）を示す図である。設定画面１１００は、窓口入出金機１００に表示されてもよいし、紙幣情報管理サーバ７００に表示されてもよいし、その他の表示部に表示されてもよい。
【０１０６】
図１４に示すように、設定画面１１００は、複数の品質項目（折れ、汚れ、テープ、・・・）の各々についての複数のレベルのしきい値を入力（設定）するためのしきい値入力領域１１０１と、入力したしきい値を登録するための確認アイコン１１０２と、入力したしきい値を取り消す取り消しアイコン１１０３とを含んで構成される。
【０１０７】
しきい値入力領域１１０１で入力される正損パラメータの値は、「１」〜「９９」であり、「９９」が最もよい状態を示し、数値が下がるに従って悪い状態を示す。例えば、識別部１０３により、ある紙幣について、折れのスコアが「９８」または「９９」、汚れのスコアが「９７」〜「９９」、かつ、テープのスコアが「９８」または「９９」された場合、当該紙幣のレベルについては、レベルＡであると判定される。なお、識別部１０３により、ある紙幣について、折れのスコアが「９２」、汚れのスコアが「９５」、かつ、テープのスコアが「８２」された場合、当該紙幣のレベルについては、レベルＣであると判定される。つまり、複数の品質項目において異なるレベルが含まれていると判定された場合、最も低いレベルが紙幣のレベルとして採用される。
【０１０８】
（紙幣格納処理）
図１５は、紙幣格納処理に係る処理手順の一例を示す図である。
【０１０９】
ステップＳ１０では、窓口入出金機１００は、使用開始当初は、装置内の紙幣は、ほとんど空からスタートすることが多く、最初の内は、高品質（レベルＡ）の紙幣を紙幣カセット１０５〜１０９の上側収納部１０５Ａ〜１０９Ａに収納し、出金については上側収納部１０５Ａ〜１０９Ａを優先する。また、窓口入出金機１００は、高品質（レベルＢおよびレベルＣ）については、通常品質紙幣と一緒に、下側収納部１０５Ｂ〜１０９Ｂに収納する。
【０１１０】
ステップＳ１１では、窓口入出金機１００は、入金取引等が実行されていき、下側収納部１０５Ｂ〜１０９Ｂが第１の収納量（例えば６０〜８０％）になったか否かを判定する。窓口入出金機１００は、第１の収納量になったと判定した場合、ステップＳ１２に処理を移し、第１の収納量になっていないと判定した場合、ステップＳ１０に処理を戻す。
【０１１１】
ステップＳ１２では、窓口入出金機１００は、高品質（レベルＢ）の紙幣も上側収納部１０５Ａ〜１０９Ａに収納する。すなわち、窓口入出金機１００は、高品質（レベルＡおよびレベルＢ）を上側収納部１０５Ａ〜１０９Ａに、高品質（レベルＣ）の紙幣と通常品質紙幣は下側収納部１０５Ｂ〜１０９Ｂに収納するように設定変更する。なお、窓口入出金機１００は、出金については、上側収納部１０５Ａ〜１０９Ａを優先する。
【０１１２】
ステップＳ１３では、窓口入出金機１００は、入金取引等が実行されていき、下側収納部１０５Ｂ〜１０９Ｂが第１の収納量よりも多い第２の収納量（例えば９０％）になったか否かを判定する。窓口入出金機１００は、第２の収納量になったと判定した場合、ステップＳ１４に処理を移し、第２の収納量になっていないと判定した場合、ステップＳ１２に処理を戻す。
【０１１３】
ステップＳ１４では、窓口入出金機１００は、高品質（レベルＡ、レベルＢ、およびレベルＣ）の紙幣を上側収納部１０５Ａ〜１０９Ａに収納し、通常品質紙幣のみを下側収納部１０５Ｂ〜１０９Ｂに収納するように設定変更する。なお、窓口入出金機１００は、出金については、上側収納部１０５Ａ〜１０９Ａを優先する。
【０１１４】
以上のように、窓口入出金機１００は、正損レベル（正損基準）とは異なるレベルＡ〜Ｃ（基準）を有し、当該レベルＡ〜Ｃに従って、出金用の紙幣を区分けする際、紙幣カセット１０５〜１０９の収納量に応じてレベルＡ〜Ｃのしきい値を変更することにより、紙幣カセット１０５〜１０９のスペースを有効に利用することができ、交換などの手間を省くことができる。
【０１１５】
また、逆に、初期設定としては、高品質（レベルＡ、レベルＢ、およびレベルＣ）を上側収納部１０５Ａ〜１０９Ａに収納するようにしておくが、上側収納部１０５Ａ〜１０９Ａの収納量が所定量になってきたら、高品質（レベルＡおよびレベルＢ）のみを上側収納部１０５Ａ〜１０９Ａに収納させるように設定変更し、その後、上側収納部１０５Ａ〜１０９Ａの収納量がさらに満杯に近づくと、高品質（レベルＡ）のみを上側収納部１０５Ａ〜１０９Ａに収納するように設定変更することも可能である。かかる構成によれば、出金時によりきれいな札（相対的にきれいな紙幣）から先に出金することが可能となり、きれいな札を所望するエンドユーザに好適なものとすることができる。
【０１１６】
また、窓口入出金機１００の紙幣カセット１０５〜１０９が２段構成（ＤＲＢ）でない場合であっても、取り扱う金種の数に対して紙幣カセット数に余裕がある場合、同一金種の高品質紙幣と通常品質紙幣とを別々のＲＢに収納するようにしてもよいし、第４の実施の形態と同様に、高品質紙幣をＲＢに収納し、通常品質紙幣を入金専用庫（ＡＢ）に収納するようにしてもよい。後者の場合、第４の実施の形態と同様に、ＡＢへ金種混在で収納された通常品質紙幣は、現金センタの紙幣仕分け装置２００で金種やその他の条件で仕分けすることができる。
【０１１７】
これにより、営業店の窓口入出金機１００内で別途管理された自動機用の高品質紙幣は、現金センタに戻さず、直接、同一営業店内の自動機に詰め替えることが可能となり、営業店と現金センタ間の紙幣の往復など、無駄な紙幣の往来が省力化できると共に、顧客からのきれいな紙幣を出金してほしいといった要望を満足させることができる。
【０１１８】
以上のように、上記実施の形態によれば、顧客の紙幣を集める支店の窓口入出金機１００とそれらの紙幣があつまり正損仕分けをする、現金センタの紙幣仕分け装置２００との組み合わせで、紙幣の仕分け（ソート）をダブりなく行うことができ、トータル紙幣処理業務を効率的に行うことができる。
【０１１９】
（６）他の実施の形態
なお上述の実施の形態においては、本発明を紙幣処理システム１，２に適用するようにした場合について述べたが、本発明はこれに限らず、この他種々の紙幣処理システムに広く適用することができる。
【０１２０】
また本発明は、例えば、下記に示す特徴を有することができる。
所定の規則に従う紙幣の仕分け処理を行う紙幣処理システム、紙幣処理方法、紙幣処理装置、紙幣処理プログラム等であって、紙幣束に対して第１の仕分けを行う第１の紙幣処理装置（例えば、窓口入出金機１００）と、上記第１の紙幣処理装置による第１の仕分けの結果に基づいて、上記第１の仕分けが行われた紙幣束に対して第２の仕分けを行う上記第１の紙幣処理装置とは異なる第２の紙幣処理装置（例えば、紙幣仕分け装置２００）と、を備えることを特徴とする。
【０１２１】
上記第２の紙幣処理装置で行われる第２の仕分けは、紙幣の金種、紙幣の正損、紙幣の方向、および紙幣の新旧の仕分けのうちの１または複数の組み合わせであることを特徴とする。
【０１２２】
上記第１の紙幣処理装置は、紙幣の金種、紙幣の正損、紙幣の方向、および紙幣の新旧の仕分けのうちの１または複数の組み合わせを第１の仕分けとして行い、上記第２の紙幣処理装置は、上記第１の紙幣処理装置で行われていない仕分けのうち１または複数の仕分けを第２の仕分けとして行うことを特徴とする。
【０１２３】
上記第１の紙幣処理装置は、上記第１の紙幣処理装置が行った第１の仕分けの結果に関する仕分け情報（例えば、仕分け情報３０１）を出力することを特徴とする。
【０１２４】
上記第２の紙幣処理装置は、上記第１の紙幣処理装置で出力された仕分け情報を受け入れ、上記仕分け情報に基づいて第２の仕分けを行うことを特徴とする。
【０１２５】
上記第１の紙幣処理装置には、上記第１の紙幣処理装置が行った第１の仕分けの結果に関する仕分け情報を媒体（例えば、レシート）に印刷する印刷装置（例えば、印刷装置１７０）が接続され、上記第２の紙幣処理装置には、上記印刷装置により媒体に印刷された仕分け情報を読み取る読取機（例えば、読取機２５０）が接続されていることを特徴とする。
【０１２６】
上記第１の紙幣処理装置は、上記第２の紙幣処理装置と通信可能な第１の通信部（例えば、通信部１５０）を有し、上記第２の紙幣処理装置は、上記第１の紙幣処理装置と通信可能な第２の通信部（例えば、通信部２３０）を有し、上記第１の紙幣処理装置は、上記第１の紙幣処理装置が行った第１の仕分けの結果に関する仕分け情報を上記第１の通信部を介して上記第２の紙幣処理装置に送信し、上記第２の紙幣処理装置は、上記第１の紙幣処理装置が行った第１の仕分けの結果に関する仕分け情報を上記第２の通信部を介して受信することを特徴とする。
【０１２７】
上記第１の紙幣処理装置は、紙幣を受け入れる入金口（例えば、入金口１０１）と、紙幣を返却する出金返却口（例えば、出金返却口１０２）と、紙幣を識別する識別部（識別部１０３）と、紙幣を収納可能な複数の紙幣カセット（例えば、紙幣カセット１０５〜１０９）と、上記入金口、上記出金返却口、上記識別部、および上記複数の紙幣カセットに係る制御を行う主制御部（例えば、主制御部１１１）と、を有し、上記複数の紙幣カセットの各々は、紙幣の金種に対応して設けられ、上記識別部は、上記入金口から受け入れた紙幣の金種と、上記紙幣の方向が予め定めた方向と一致するか否かとを識別し、上記主制御部は、上記識別部により紙幣の方向が一致すると識別された場合、上記紙幣の金種に対応する紙幣カセットに上記紙幣を収納し、上記紙幣の方向が一致しないと識別された場合、上記出金返却口に上記紙幣を返却するように制御を行うことを特徴とする。
【０１２８】
上記複数の紙幣カセットの各々は、紙幣を収納可能な複数の収納部（例えば、上側収納部１０５Ａ〜１０９Ａ、下側収納部１０５Ｂ〜１０９Ｂ）を有し、上記識別部は、上記紙幣の方向が予め定めた第１の方向または第２の方向と一致するか否かを識別し、上記主制御部は、上記識別部により紙幣の方向が上記第１の方向であると識別された場合、上記紙幣の金種に対応する紙幣カセットの第１の収納部に上記紙幣を収納し、上記紙幣の方向が上記第２の方向であると識別された場合、上記紙幣カセットの第２の収納部に上記紙幣を収納するように制御を行うことを特徴とする。
【０１２９】
上記第１の紙幣処理装置は、紙幣を受け入れる入金口（例えば、入金口１０１）と、紙幣を返却する出金返却口（例えば、出金返却口１０２）と、紙幣を識別する識別部（識別部１０３）と、紙幣を収納可能な複数の紙幣カセット（例えば、紙幣カセット１０５〜１０９）と、上記入金口、上記出金返却口、上記識別部、および上記複数の紙幣カセットに係る制御を行う主制御部（例えば、主制御部１１１）と、を有し、上記識別部は、上記入金口から受け入れた紙幣が正券紙幣であるか損券紙幣であるかを識別し、上記主制御部は、上記識別部により正券紙幣であると識別された紙幣と損券紙幣であると識別された紙幣とを、それぞれ異なる紙幣カセットに収納するように制御を行うことを特徴とする。
【０１３０】
上記複数の紙幣カセットの各々は、紙幣の金種に対応して設けられ、上記複数の紙幣カセットの各々は、紙幣を収納可能な複数の収納部（例えば、上側収納部１０５Ａ〜１０９Ａ、下側収納部１０５Ｂ〜１０９Ｂ）を有し、上記識別部は、上記入金口から受け入れた紙幣の金種を識別し、上記主制御部は、上記識別部により識別された紙幣が正券紙幣である場合、上記紙幣の金種に対応する紙幣カセットの第１の収納部に上記紙幣を収納し、上記紙幣が損券紙幣であると識別された場合、上記紙幣カセットの第２の収納部に上記紙幣を収納するように制御を行うことを特徴とする。
【０１３１】
上記第１の紙幣処理装置は、紙幣を受け入れる入金口（例えば、入金口１０１）と、紙幣を返却する出金返却口（例えば、出金返却口１０２）と、紙幣を識別する識別部（識別部１０３）と、紙幣を収納可能な複数の紙幣カセット（例えば、紙幣カセット１０５〜１０９）と、上記入金口、上記出金返却口、上記識別部、および上記複数の紙幣カセットに係る制御を行う主制御部（例えば、主制御部１１１）と、を有し、上記識別部は、上記入金口から受け入れた紙幣が同一価値の新券紙幣であるか旧券紙幣であるかを識別し、上記主制御部は、上記識別部により新券紙幣であると識別された紙幣と旧券紙幣であると識別された紙幣とを、それぞれ異なる紙幣カセットに収納するように制御を行うことを特徴とする。
【０１３２】
上記複数の紙幣カセットの各々は、紙幣の金種に対応して設けられ、上記複数の紙幣カセットの各々は、紙幣を収納可能な複数の収納部（例えば、上側収納部１０５Ａ〜１０９Ａ、下側収納部１０５Ｂ〜１０９Ｂ）を有し、上記識別部は、上記入金口から受け入れた紙幣の金種を識別し、上記主制御部は、上記識別部により識別された紙幣が新券紙幣である場合、上記紙幣の金種に対応する紙幣カセットの第１の収納部に上記紙幣を収納し、上記紙幣が旧券紙幣であると識別された場合、上記紙幣カセットの第２の収納部に上記紙幣を収納するように制御を行うことを特徴とする。
【０１３３】
上記第１の紙幣処理装置は、金融機関に設けられる窓口入出金機（例えば、窓口入出金機１００）であり、上記第２の紙幣処理装置は、上記窓口入出金機からの紙幣を回収して管理する現金センタに設けられる紙幣仕分け装置（例えば、紙幣仕分け装置２００）であることを特徴とする。
【０１３４】
上記第２の紙幣処理装置には、上記第２の紙幣処理装置が行う予定の第２の仕分けの処理内容を表示する表示部（例えば、表示入力部２２０）が接続されていることを特徴とする。
【０１３５】
上記第２の紙幣処理装置には、上記第２の紙幣処理装置が行う予定の第２の仕分けの処理内容を実施するか否かを入力可能な入力部（例えば、表示入力部２２０）が接続されていることを特徴とする。
【０１３６】
上記第２の紙幣処理装置には、上記第２の紙幣処理装置が行う予定の第２の仕分けの処理内容を処理順に表示し、上記処理順を変更若しくは削除する入力、および／または、処理内容の追加若しくは処理内容の選択をする入力を行うための表示入力部（例えば、表示入力部２２０）が接続されていることを特徴とする。
【０１３７】
上記第２の紙幣処理装置を複数備え、上記複数の第２の紙幣処理装置の中から選択された一の第２の紙幣処理装置が上記第１の紙幣処理装置による第１の仕分けの結果に基づいて、上記第１の仕分けが行われた紙幣束に対して第２の仕分けを行うことを特徴とする。
【０１３８】
上記第１の紙幣処理装置で行われた第１の仕分けの結果に基づいて、上記複数の第２の紙幣処理装置の中から一の第２の紙幣処理装置を選択する制御装置（例えば、制御装置８００）を備えることを特徴とする。
【０１３９】
上記第１の紙幣処理装置で第１の仕分けが行われた紙幣束ごとに、上記第１の仕分けの結果に関する仕分け情報を上記第１の紙幣処理装置から受信する紙幣情報管理サーバ（例えば、紙幣情報管理サーバ７００）を備え、上記制御装置は、上記複数の第２の紙幣処理装置の各々についての状態情報（例えば、複数の紙幣仕分け装置２００の各種状態を示す状態情報）と上記紙幣情報管理サーバから受信した上記紙幣束ごとの仕分け情報とに基づいて、上記複数の第２の紙幣処理装置の中から一の第２の紙幣処理装置を選択することを特徴とする。
【０１４０】
上記複数の第２の紙幣処理装置の各々についての状態情報には、上記複数の第２の紙幣処理装置の各々における処理待ちの件数、処理待ちの紙幣の枚数、上記複数の第２の紙幣処理装置の各々のスペック情報の少なくとも１つ、またはこれらの組み合わせの情報が含まれることを特徴とする。
【０１４１】
上記第１の紙幣処理装置で第１の仕分けが行われた紙幣束ごとに、上記第１の仕分けの結果に関する仕分け情報と関連付けられたシリアル番号（例えば、識別情報３０４）が付与され、上記制御装置は、シリアル番号を読取可能な読取機（例えば、読取機８０２）と、上記読取機で読み取られたシリアル番号の紙幣束を仕分けするのに適した上記複数の第２の紙幣処理装置の中から選択した一の第２の紙幣処理装置を示す情報を表示する表示部（例えば、出力部８０１）と、を有することを特徴とする。
【０１４２】
上記制御装置は、上記複数の第２の紙幣処理装置の中から選択した一の第２の紙幣処理装置に対して、上記読取機で読み取られたシリアル番号を送信し、上記複数の第２の紙幣処理装置の各々は、シリアル番号を読取可能な読取機（例えば、読取機２１３）と、上記制御装置から送信されたシリアル番号と異なるシリアル番号が上記読取機にて読み取られたか否かを判定する主制御部（例えば、主制御部２１１）と、上記制御装置から送信されたシリアル番号と異なるシリアル番号が上記読取機にて読み取られたと上記主制御部により判定された場合、処理対象でないシリアル番号が上記読取機にて読み取られた旨を表示する表示部（例えば、表示入力部２２０）と、を有することを特徴とする。
【０１４３】
上記複数の第２の紙幣処理装置の各々は、上記制御装置から送信されたシリアル番号と異なるシリアル番号が上記読取機にて読み取られたと上記主制御部により判定された場合、上記異なるシリアル番号の紙幣束についての第２の仕分けの続行と中止との選択を入力可能な入力部（例えば、表示入力部２２０）を有することを特徴とする。
【０１４４】
上記制御装置で読み取られたシリアル番号と上記シリアル番号の紙幣束を処理すべき第２の紙幣処理装置とが対応付けられた対応情報と、上記複数の第２の紙幣処理装置の各々についての状態情報とを備え、上記主制御部は、上記制御装置から送信されたシリアル番号と異なるシリアル番号が上記読取機にて読み取られたと判定した場合、上記異なるシリアル番号の紙幣束を処理すべき第２の紙幣処理装置の状態情報と、自装置の状態情報とが所定の一致率で一致するか否かを判定し、一致すると判定した場合、上記異なるシリアル番号の紙幣束に対して第２の仕分けを行うことを特徴とする。
【０１４５】
上記制御装置は、上記第１の紙幣処理装置が行った第１の仕分けの結果に関する仕分け情報が記憶された媒体から上記仕分け情報を読取可能な読取機（例えば、読取機８０２）を有することを特徴とする。
【０１４６】
上記複数の第２の紙幣処理装置の各々は、第２の仕分けを行った紙幣束を分けて収納する複数のポケット（例えば、ポケット２０７）を有し、上記制御装置は、上記複数の第２の紙幣処理装置の各々のポケットの状態に応じて上記複数の第２の紙幣処理装置の中から一の第２の紙幣処理装置を選択することを特徴とする。
【０１４７】
上記制御装置は、上記複数の第２の紙幣処理装置の中から選択した一の第２の紙幣処理装置を変更する入力を受け付ける入力部（例えば、ポインティングデバイス、キーボード等）を有することを特徴とする。
【０１４８】
上記制御装置によって選択された一の第２の紙幣処理装置の情報と、作業員によって選択された一の第２の紙幣処理装置の情報と、を収集して解析する解析装置（例えば、解析装置９００）を備え、上記制御装置は、上記解析装置の解析結果に基づいて、上記複数の第２の紙幣処理装置の中から一の第２の紙幣処理装置を選択することを特徴とする。
【０１４９】
上記第１の紙幣処理装置は、紙幣の正損の仕分けに用いる正損パラメータとして、上記第２の紙幣処理装置が行う紙幣の正損の仕分けに用いる正損パラメータ（正損パラメータ１０００）を設定することを特徴とする。
【０１５０】
上記第２の紙幣処理装置は、上記第２の紙幣処理装置が行う紙幣の正損の仕分けに用いる正損パラメータを上記第１の紙幣処理装置に送信し、上記第１の紙幣処理装置は、上記第２の紙幣処理装置から送信された正損パラメータを紙幣の正損の仕分けに用いる正損パラメータに設定することを特徴とする。
【０１５１】
上記第１の紙幣処理装置は、正券紙幣を収納する紙幣カセット内の紙幣の量に応じて紙幣の正損の仕分けに用いる正損パラメータを調整することを特徴とする。
【０１５２】
上記第１の紙幣処理装置は、損券紙幣を収納する紙幣カセット内の紙幣の量に応じて紙幣の正損の仕分けに用いる正損パラメータを調整することを特徴とする。
【０１５３】
上記第１の紙幣処理装置は、紙幣の正損の仕分けに用いる正損パラメータとは異なる基準を有し、上記基準に従って、出金用の紙幣を区分けすることを特徴とする。
【０１５４】
上記第１の紙幣処理装置は、出金用の紙幣カセットの収納量に応じて上記基準のしきい値を変更することを特徴とする。
【０１５５】
また上述した内容については、本発明の要旨を変更しない範囲において、適宜に変更したり、省略したり、組み合わせたりすることができる。
【符号の説明】
【０１５６】
１，２……紙幣処理システム、１００……窓口入出金機、２００……紙幣仕分け装置、３０１……仕分け情報、３０２……紙幣のまとまり、６００……ＡＴＭ、７００……紙幣情報管理サーバ、８００……制御装置、９００……解析装置、１０００……正損パラメータ。
【図１】
2019079140.tif 000003
【図２】
2019079140.tif 000004
【図３】
2019079140.tif 000005
【図４】
2019079140.tif 000006
【図５】
2019079140.tif 000007
【図６】
2019079140.tif 000008
【図７】
2019079140.tif 000009
【図８】
2019079140.tif 000010
【図９】
2019079140.tif 000011
【図１０】
2019079140.tif 000012
【図１１】
2019079140.tif 000013
【図１２】
2019079140.tif 000014
【図１３】
2019079140.tif 000015
【図１４】
2019079140.tif 000016
【図１５】
2019079140.tif 000017